Podtech/llm-jp-corpus-v4-ja_patent huggingface dataset:
(57)【要約】【課題】従来技術によれば、海藻の胞子の自然着床を期待するので、藻場が形成される保証は無いし、設置作業や造成範囲も費用と手間が膨大なものになるため、大規模な藻場造成を行うことは不可能である。そこで、この発明は、大規模かつ確実な藻場造成を可能にする海藻類の胞子を付けた種糸付き多孔質基質を使用した立体型藻場造成方法を提供することを課題とする。【解決手段】課題を解決するために、請求項１の発明は、まず、藻場造成対象の海草類の胞子が着生しやすく、また、サンゴの卵が着床しやすく、かつ海藻類の根が張り付きやすい多孔質の基質を使用すると同時に、海藻類の胞子の着いた種糸を強制的にその表面に付着させや海藻類及び海草類等で大規模な藻場造成を可能にする。【選択図】        図１
2004236561.tif 000002
【特許請求の範囲】
【請求項１】
多孔質になるように、コンクリートと貝殻や貝化石類等自然に産出される細骨材や金属類やプラスチック類等人工物もしくは加工物の細骨材類等を用いて製作した、サンゴ類や海藻類等の胞子や海草類の種等が着生しやすく育成しやすい空隙を有する多孔質基質を、立体型藻場施設や海底の岩盤や海中構造物及び藻礁、漁礁の間にそのままの状態ないしは、藻場造成の確実性を高めるために多孔質基質本体に海藻類の胞子を着生させた種糸を強制的に付着させた状態で吊るしたり、浮かせたりして積極的に希望する海藻類を育成することを可能にする藻場造成方法。
【発明の詳細な説明】
【０００１】
【発明が属する技術分野】
本発明は、藻場造成方法と多孔質基質に係り、立体型藻場施設及び海底の岩盤や海中構造物及び藻礁、漁礁の間に吊したり、浮かしたりして積極的または人為的にサンゴ類や海藻類、海草類等を植生させる藻場造成方法に関する。
【０００２】
【従来の技術】
従来、板状に整形された一定品質の基質を、既に海中に設置されているコンクリート漁礁や構造物及び岩盤に直接、ボンドやボルトで固定し、これらに海藻類等の胞子が自然着生して藻場が造成され周辺に次の世代の海藻類が広がる事を期待したり、もしくは、自然着生した海藻類の成長を待ち、母藻に成長した段階で基質ごと海藻類を回収し、希望する海域の既に海中に設置されているコンクリート漁礁や岩盤等に直接、ボンドやボルトで移設・固定する方法が方法が殆どであった。
【０００３】
【発明が解決しようとする課題】
しかし、以上の従来技術によれば、サンゴ類や海藻類の胞子や海草類の種等の自然着生を期待するので、藻場が形成される保証は無いし、設置作業にかかる費用と手間が膨大なものになるため、大規模な藻場造成を行うことは不可能である。
そこで、本発明は、藻場造成したいサンゴ類や海藻類の胞子や海草類の種が着生しやすく、根の張り付きが良く育成しやすい多孔質基質を使用し、同時にこの基質の特性をより確実なものにするためにさらに、海藻類の胞子を付けた種糸を強制的に付着させた多孔質基質を使用した立体型藻場造成方法を提供することを課題とする。
【０００４】
【課題を解決するための手段】
以上の課題を解決するために、請求項１の発明は、まず、藻場造成対象のサンゴ類や海藻類の胞子が着生しやすく、かつ海藻類の根が張り付きやすい多孔質の基質を使用すると同時に、より確実なものにするために、積極的この多孔質基質の表面に海藻類の胞子の着いた種糸を強制的に付着させ、立体型藻場施設海底の岩盤や海中構造物及び藻礁、漁礁の間に吊るしたり、浮かせたりして積極的または人為的に海藻を植生させ確実な海藻類等での大規模な立体型藻場造成方法を特徴とする。
【０００５】
【発明の実施の形態】
以下図面を参照して本発明の実施の形態につき説明する。
図１及び図２は、実施の形態に係る多孔質基質本体１とこれを使用した立体型藻場造成方法を示すものであり、これらは、たとえば、海中の底質が砂や砂利・ヘドロ・浮泥類等の軟弱地盤に適したものである。
多孔質基質による立体的藻場造成方法を図に記す。
【０００６】
多孔質基質は、本体６をブイ２、アンカー３、ネット１からなる施設から、吊り下げ、海底面より浮かせる。本体６の形状は、通常、板状が好ましいがその他、立方体であったり、球状であったり、どのような形状でもさしつかえない。また、サイズは、施設の規模に合わせてその都度、適性なサイズとし、特に定められたサイズは無い。ブイ２は、通常、市販されている球状の耐圧ブイを使用するが設置水深の水圧に耐えられるものであればなんでも良い。アンカー３は、船舶の係留に使用するアンカーが好ましいが、砂の入った袋、コンクリートや金属性の漁礁等、施設を係留するに足りる重量と係留力を有するものであれば、どのようなものを使用してもしつかえない。ネット４は、通常、市販されているロープからなるネットを使用するが、材質や形状は、特に指定がなく、造成環境に適するものであれば、いずれのものを使用しても良い。また、ネットの他に、造成環境により、図２のようにブイ２の間を１本ないしは２本以上のロープで繋いだものでも良い。
本体６とネット１ないしは、ロープからの吊り下げ方法は、本体６を固定具４で水面に対して、垂直ないしは、水平になるようにつりさげる。この固定具５は、通常１本ないしは、数本のロープ類を使用するが、プラスティックないしは金属類及びボルトやナット類等で構成されるものであり、本体６とネット１を固定できるものであればも形状や材質及びサイズに制約は設けず、何を使用しても良い。
このようにして、藻場造成した後、さらに、藻場を拡大させたり、新たな海域で藻場造成するさいには、海藻類が成長した多孔質基質を用いて、本発明と同様な方法で藻場造成したり、従来の方法を用いて、構造物や海底岩盤や漁礁等に張り付けたり、固定したりして積極的に藻場造成を行う。
【０００７】
【発明の効果】
以上説明したように本発明の藻場造成の方法によれば、海藻類の胞子や種を着生させた多孔質基質を使用する事で、経済的かつ確実です。また、海藻類の根が張りやすいので確実で積極的、人為的に海藻類が減少、消滅した海域もしくは、新たな海域での大規模な藻場造成が可能になります。
【０００８】
また、本発明の藻場造成方法に使用する多孔質基質は、軽く扱いやすく、形状も藻場造成する環境に合わせて形成できるので、ダイバーで容易に設置できる。
【０００９】
さらに、多孔質基質にて海藻類が成長した後、多孔質基質のみをダイバーが取り外し、運搬し、新たな海域の構造物や漁礁・海底岩盤等、固定したり、吊り下げたり等してどのような環境条件の場所にも設置でき、作業が容易で経済的にも安価で海藻類の移設が可能になる。
【図面の簡単な説明】
【図１】この発明の一実施形態（ネット使用）を示す斜視図である。
【図２】この発明の一実施形態（ロープ類使用）を示す側面図である。
【符号の説明】
１  ネット
２  ブイ
３  アンカー
４  固定具
５  ブイ固定ロープ
６  多孔質基質
【図１】
2004236561.tif 000003
【図２】
2004236561.tif 000004
(57)【要約】【課題】反芻動物の疾病を予防すると共に飼育効率を高めるための反芻動物用発育促進剤を提供することを目的とする。【解決手段】ハーブ類あるいはハーブ類およびキャロブ粉末を有効成分とする反芻動物用発育促進剤。【選択図】  なし【特許請求の範囲】
【請求項１】
ハーブ類を有効成分とすることを特徴とする反芻動物用発育促進剤。
【請求項２】
ハーブ類およびキャロブ粉末を有効成分とすることを特徴とする反芻動物用発育促進剤。
【請求項３】
ハーブ類がフェネグリーク、カンゾウ、ローズマリー、セージ、オレガノ、タイム、バジル、マジョラム、シナモン、ローレル、ターメリック、ジンジャー、コリアンダー、セロリシード、クミン、キャラウェイ、フェンネル、クローブ、オールスパイス、オニオン、ガーリック、ナツメグである請求項１または２記載の反芻動物用発育促進剤。
【請求項４】
請求項１または２記載の反芻動物用発育促進剤を無薬飼料中に有効成分換算で０．００１〜２５重量％添加した飼料を給与して飼育することを特徴とする反芻動物の飼育方法。
【発明の詳細な説明】
【０００１】
【発明の属する技術分野】
本発明は、反芻動物に用いる発育促進剤に係り、特に無薬飼料の添加に適した発育促進剤に関する。
【０００２】
【従来の技術】
従来、下痢等の疾病を予防して反芻動物の死亡率を低下させて飼育効率を高めるために、飼料中に抗菌性物質等の薬剤を添加していた。しかしながら、近年残留薬物の問題が大きくクローズアップされるようになり、薬剤を使用することなく疾病を予防することが求められてきた。これらの要望を満たす方法として、ハーブ類を有効成分とする種々の疾病予防および治療剤が提案されている。
【０００３】
【発明が解決しようとする課題】
そこで本発明者等は、反芻動物の飼育中における全ステージの飼料中に添加して、疾病の予防を行うと共に肥育等の飼育効率を高めることのできる物質について種々研究を重ねた結果、本発明を完成するに至った。
【０００４】
【課題を解決するための手段】
すなわち、本発明は、ハーブ類またはハーブ類とキャロブ粉末を有効成分とする反芻動物用発育促進剤およびその反芻動物用発育促進剤を用いた反芻動物の飼育方法に関する。
【０００５】
【発明の実施の形態】
本発明の反芻動物用発育促進剤の有効成分であるハーブ類としてはフェネグリーク、カンゾウ、ローズマリー、セージ、オレガノ、タイム、バジル、マジョラム、シナモン、ローレル、ターメリック、ジンジャー、コリアンダー、セロリシード、クミン、キャラウェイ、フェンネル、クローブ、オールスパイス、オニオン、ガーリック、ナツメグ等が挙げられるが特にローズマリー、シナモン、フェネグリークが好ましい。これらのハーブ類は１種または２種以上を適宜組合せて用いることができる。
前記ハーブ類は粉末の他、抽出して精油等の形態にして用いることもできる。
また本発明の反芻動物用発育促進剤の他の有効成分であるキャロブ粉末は、キャロブの莢および／または果肉を粉末状にしたものであり、なかでも特に莢を粉末にしたものが好適である。
本発明における反芻動物用発育促進剤において、ハーブ類とキャロブ粉末とを併用する場合、ハーブ類とキャロブ粉末との配合割合は特に制限されるものではないが、例えばハーブ粉末：キャロブ粉末の場合０．００２５〜５：１、好ましくは０．０１〜１：１であり、ハーブ精油：キャロブ粉末の場合は０．０００１〜２：１、好ましくは０．００１〜０．３３３：１の範囲である。
【０００６】
本発明の反芻動物用発育促進剤は、所望により酵母、乳酸菌、全卵粉末、グルコース、デキストリン、オオバコ末、炭酸水素ナトリウム、塩化カリウム、塩化ナトリウム、硫酸マグネシウム等を適宜添加することによって一層効果が高められる。
また反芻動物用発育促進剤を調製する場合、ケイ酸等の賦形剤を適宜用いることもできる。
【０００７】
本発明の反芻動物用発育促進剤は通常飼料中に有効成分換算で０．００１〜２５重量％となるように添加することが好ましい。
【０００８】
本発明の反芻動物用発育促進剤を家畜に給与する方法としては粉末状あるいは、水に溶かして溶液状として飼料と混合して給与することが好ましい。そして本発明の反芻動物用発育促進剤は、反芻動物の飼育期間の全ステージのいずれの時期にも好適に使用することができる。例えば肉牛の場合であれば哺乳期から肥育期まで給与でき、また搾乳牛の場合は、泌乳期から乾乳期のいずれの時期においても使用できる。
また本発明の反芻動物用発育促進剤は、特に哺乳期および飼料の切替え時に用いることによって、家畜にストレスを与えることなくスムーズに給餌することができる。給与する反芻動物としては、牛、ヒツジ、ヤギ等が挙げられるが、特に牛が好ましい。
【０００９】
【実施例】
次に本発明をさらに具体的に示すために実施例を掲げて説明するが、本発明は、以下の実施例のみに限定されるものではない。
【００１０】
実施例１
ローズマリー粉末を用いて反芻動物用発育促進剤を調製した。
【００１１】
実施例２
ローズマリー粉末１重量部およびキャロブ粉末５重量部を均一に混合して反芻動物用発育促進剤を調製した。
【００１２】
実施例３
ローズマリー粉末３重量部、シナモン粉末１重量部およびフェネグリーク粉末６重量部を均一に混合して反芻動物用発育促進剤を調製した。
【００１３】
実施例４
ローズマリー粉末３重量部、シナモン粉末１重量部、フェネグリーク粉末６重量部およびキャロブ粉末５０重量部を均一に混合して反芻動物用発育促進剤を調製した。
【００１４】
実施例５
カンゾウ粉末４重量部、セージ粉末３重量部、オレガノ粉末２重量部、タイム粉末３重量部、バジル粉末１重量部、マジョラム粉末１重量部、ローレル粉末１重量部、ターメリック粉末２重量部、ジンジャー粉末１重量部、コアンダー粉末１重量部、セロリシード粉末１重量部、クミン粉末１重量部、キャラウェイ粉末１重量部、フェンネル粉末１重量部、クローブ粉末１重量部、オールスパイス粉末１重量部、オニオン粉末１重量部、ガーリック粉末３重量部およびナツメグ粉末１重量部を均一に混合して反芻動物用発育促進剤を調製した。
【００１５】
実施例６
実施例５で調製した反芻動物用発育促進剤３０重量部およびキャロブ粉末１５０重量部とを均一に混合して反芻動物用発育促進剤を調製した。
【００１６】
試験例
供試牛としてＦ１雄子牛（１４日令）を各試験区に１５頭用意し、基礎飼料として表１に示す配合の代用乳に対し、ハーブ類が１重量％となるように反芻動物用発育促進剤を表２に示す１頭あたりの給与プログラムにより朝夕２回給与し３週間飼育した。また比較例として無薬の基礎飼料のみを同様の給与プログラムにより給与して３週間飼育したものを対照▲１▼区とした。次にその飼育結果を示せば表３のとおりである。
【００１７】
【表１】
2004236552.tif 000002
【００１８】
【表２】
2004236552.tif 000003
【００１９】
【表３】
2004236552.tif 000004
【００２０】
【発明の効果】
本発明の反芻動物用発育促進剤は、ハーブ類またはハーブ類とキャロブ粉末の併用効果により疾病の予防と共に肥育等の飼育効率を高めることができる。
(57)【要約】【課題】従来技術によれば、造成期間が長期間必要であり、また、海藻の胞子の自然着床を期待するので、藻場が形成される保証は無いし、設置作業や造成も費用や手間が膨大なものになるため、大規模な藻場造成を行うことは不可能である。そこで、この発明は、確実で安価で作業の容易な大規模藻場造成を可能にする藻草育成エンチョーネットを提供することを課題とする。【解決手段】本発明は、１本のロープ状のものを接合具で組んだり編むことにより、ネット状に作成し、海中や水中に設置し、これにサンゴや海藻類及び海草類の種苗を人為的に取り付けある程度に成長した後、藻場造成する海域に移設する際に、接合具を分解し、もとの１本のロープ状にして広範囲な藻場造成を可能にする。【選択図】        図１
2004236560.tif 000002
【特許請求の範囲】
【請求項１】
１本の自然繊維や化学繊維類からなるロープとヒモ状のものやプラスチック及び金属からなる板類等とボルト及びナット類からなる接合具を使用して組んだり編むことにより、ネット状に作成し、このネットをそのまま海中や水中に設置し、サンゴや海藻類及び海草類が自然に着生した後や、このネットにサンゴや海藻類及び海草類の種子や胞子や種苗を人為的に強制的に取り付けある程度に成長した後、藻場造成する海域に移設する際に、そのままのネットの形状のまま、もしくは、接合部分を離すことにより、もとの１本のロープ状にして広範囲な藻場造成を可能にする方法。
【発明の詳細な説明】
【０００１】
【発明が属する技術分野】
本発明は、藻場造成方法と藻草育成エンチョーネットに係り、特に、海や河川或いは湖沼若しくは人工の養殖池等の水底や水中岩盤に、又は水中に浮いた状態での藻場を造成する藻場造成に使用する藻草育成エンチョーネットに関するものである。
【０００２】
【従来の技術】
従来、海や河川等に藻場を造成する方法は、海底や川底に人工漁礁、例えばコンクリートブロックや鋼構造物及び船等を沈めて、これらに海藻等の胞子や海草の種子が自然着床して成長をまったり、積極的に成長した海藻を移植する方法が殆どであった。
【０００３】
【発明が解決しようとする課題】
しかし、以上の従来技術によれば、多額の造成費用を必要とし、なおかつ、造成期間も長期間必要であり、また、海藻の胞子の自然着床を期待するので、藻場が形成される保証は無いし、設置作業や造成範囲も費用と手間が膨大なものになるため、大規模な藻場造成を行うことは不可能である。
そこで、この発明は、確実で安価で作業の容易な大規模藻場造成を可能にする藻草育成エンチョーネットを提供することを課題とする。
【０００４】
【課題を解決するための手段】
以上の課題を解決するために、請求項１の発明は、１本の自然繊維や化学繊維類からなるロープとヒモ状のものやプラスチック及び金属からなる板類等とボルト及びナット類からなる接合具を使用して組んだり編むことにより、ネット状に作成し、このネットをそのまま海中や水中に設置し、サンゴや海藻類及び海草類が自然に着生した後や、このネットにサンゴや海藻類及び海草類の種子や胞子や種苗を人為的に強制的に取り付けある程度に成長した後、藻場造成する海域に移設する際に、そのままのネットの形状のまま、もしくは、接合部分を離すことにより、もとの１本のロープ状にして広範囲な藻場造成を可能にする。
【０００５】
【発明の実施の形態】
この発明の一実施形態を、図１に示す。
藻草育成エンチョーネットは１本のロープを編んだりくんだりして、ネット状に形成するものである。
【０００６】
藻草育成エンチョーネットは、本体ロープ１を接合具２で図のようにネット状に形成し、このネット部に、藻場造成しようとするサンゴや海藻類及ぶ海草類の胞子や種子が自然着生したり、サンゴや海藻類及ぶ海草類の胞子や種子種苗を人為的に強制的に取りつける。
【０００７】
このようにしてサンゴや海藻類及ぶ海草類の胞子や種子や種苗が成長した後、そのままのネット状で移植したり、あるいは、接合具を離して、１本のロープ状にし移植する。
もしくは適正な長さに切断して移植する。
【０００８】
【発明の効果】
以上説明したように本発明の藻場造成の方法によれば、海藻類等が育成し、移設する際に藻場造成する環境に左右されません。また、海藻類の根が張りやすいので確実で積極的、人為的に海藻類が減少、消滅した海域もしくは、新たな海域での大規模な藻場造成が可能になります。
【０００９】
また、本発明の藻草育成エンチョーネットは、軽く扱いやすく、形状も藻場造成する環境にあわせて形成できるので、ダイバーで容易に設置できる。
【００１０】
さらに、藻草育成エンチョーネットにて海藻類等が成長した後、ダイバーが取り外し、運搬し、新たな海域に設置する際に、設置環境にあわせて、そのままの形状もしくは、固定具をはずして再形成できるので、作業が容易で経済的にも安価で海藻類の移設が可能になる。
【図面の簡単な説明】
【図１】この発明の一実施形態を示す正面図である。
【符号の説明】
１    ネット本体    ２  接合具
【図１】
2004236560.tif 000003
(57)【要約】【課題】飼料の嗜好性を高め、かつ免疫賦活作用を有する家畜用嗜好性改善剤を提供することを目的とする。【解決手段】キャロブ粉末を有効成分とする家畜用嗜好性改善剤。【選択図】  なし【特許請求の範囲】
【請求項１】
キャロブ粉末を有効成分とすることを特徴とする家畜用嗜好性改善剤。
【請求項２】
請求項１記載の家畜用嗜好性改善剤を飼料中に１〜２０重量％添加した飼料を給与して飼育することを特徴とする家畜の飼育方法。
【発明の詳細な説明】
【０００１】
【発明の属する技術分野】
本発明は、家畜に用いる嗜好性改善剤に関する。
【０００２】
【従来の技術】
従来、家畜に飼料を給餌する場合、食下量を増大させるために種々の添加剤が配合されていた。例えばきな粉等の嗜好性物質を飼料中に添加する等の方法が行われていた。しかしながら、従来の嗜好性物質は、畜種が限定されたり、あるいは特定期間の飼育ステージには有効であるが、それ以外の飼育ステージでは、実質的に効果がなかったり、場合によっては発育不良等の逆効果を招くことがあった。
【０００３】
【発明が解決しようとする課題】
そこで本発明者等は、家畜の飼育中における全ステージの飼料中に添加して、飼料の嗜好性を高め、かつ有害菌の抑制効果、免疫強化作用等の免疫賦活作用を有する物質について種々研究を重ねた結果、本発明を完成するに至った。
【０００４】
【課題を解決するための手段】
すなわち、本発明は、キャロブ粉末を有効成分とする家畜用嗜好性改善剤およびその家畜用嗜好性改善剤を用いた家畜の飼育方法に関する。
【０００５】
【発明の実施の形態】
本発明の家畜用嗜好性改善剤の有効成分であるキャロブ粉末は、キャロブの莢および／または果肉を粉末状にしたものであり、なかでも特に莢を粉末にしたものが好適である。
【０００６】
本発明の家畜用嗜好性改善剤は、所望により酵母、乳酸菌、全卵粉末、グルコース、デキストリン、オオバコ末、炭酸水素ナトリウム、塩化カリウム、塩化ナトリウム、硫酸マグネシウム等を適宜添加することによって一層効果が高められる。
また家畜用嗜好性改善剤を調製する場合、ケイ酸等の賦形剤を適宜用いることもできる。
本発明の家畜用嗜好性改善剤は通常飼料に対しキャロブ粉末として１〜２０重量％、特に３〜１０重量％添加することが好ましい。
【０００７】
本発明の家畜用嗜好性改善剤を家畜に給与する方法としては粉末状あるいは、水に溶かして溶液状として飼料と混合して給与することが好ましい。そして本発明の家畜用嗜好性改善剤は、家畜の飼育期間の全ステージのいずれの時期にも好適に使用することができる。例えば肉牛の場合であれば哺乳期から肥育期まで給与でき、また搾乳牛の場合は、泌乳期から乾乳期のいずれの時期においても使用できる。
また本発明の家畜用嗜好性改善剤は、特に飼料の切替え時に用いることによって、家畜にストレスを与えることなくスムーズに給餌することができる。給与する家畜としては、牛、豚、鶏等が挙げられるが、特に牛が好ましい。
【０００８】
【実施例】
次に本発明をさらに具体的に示すために実施例を掲げて説明するが、本発明は、以下の実施例のみに限定されるものではない。
【０００９】
実施例１
キャロブの莢を粉砕して粉末状とし家畜用嗜好性改善剤を調製した。
【００１０】
実施例２
キャロブの莢を粉砕して粉末状とし、またキャロブの果肉を粉末状として両者を混合（莢粉末：果肉粉末＝８：２）して家畜用嗜好性改善剤を調製した。
【００１１】
実施例３
キャロブの果肉を粉末状として家畜用嗜好性改善剤を調製した。
【００１２】
試験例１
代用乳（「ザ・カーフサックル」日清飼料株式会社製商品名）２５０ｇをお湯１．８Ｌに溶解し、これに実施例１で調製した家畜用嗜好性改善剤を所定量添加して供試飼料を調製した。なお前記代用乳２５０ｇをお湯１．８Ｌに溶解して対照飼料を調製した。
子牛（１４日令）１５頭をそれぞれ隔離した状態で１日に朝および夕の２回給与し、２日間行った。試験は供試飼料と対照飼料をバケツに入れて並べて置きどちらを早く飲み干すかを調べた（毎回バケツの位置は左右入れ替える）。その試験結果を示せば表１のとおりである。
【００１３】
【表１】
2004236551.tif 000002
【００１４】
表１の試験結果から明らかなように、本発明の家畜用嗜好性改善剤が優れた嗜好性を有することがわかる。
【００１５】
【発明の効果】
本発明の家畜用嗜好性改善剤は、飼料の嗜好性を高め、かつ免疫賦活作用を有することから発育も著しく向上させることができる。
(57)【要約】【課題】自己導尿に際して、視力の障害の有無にかかわらず、患者が手の感覚のみで容易に操作できるとともに、使用及び保管時において清潔に維持でき、使用時に患者の膀胱壁を損傷することがないので医療上の効果も大きく、廃棄する際分別の必要がないから手間を要しないなど、取り扱いの極めて容易である自己導尿用カテーテルのキャップの改良を提案するものである。【解決手段】筒体の下方端部を球面４１に形成したエンドノズル４と、該下方端部を摺動可能に収容する切り欠き３１及び内腔３２を設けたハウジング３と筒体のベースコネクター２とから形成する。【選択図】        図１
2004236999.tif 000002
【特許請求の範囲】
【請求項１】
筒体に形成し、その下方端部外面を球面４１に形成したエンドノズル４と、切り欠き３１及び内腔３２を設けて前記エンドノズル４の下方端部を摺動可能に収容するハウジング３と、筒体に形成し、一方端部を前記ハウジング３の下部に取着したベースコネクター２とからなることを特徴とする自己導尿用カテーテルのキャップ
【発明の詳細な説明】
【０００１】
【発明が属する技術分野】
本発明は、日常における排尿の困難な患者が自己導尿に用いるカテーテルのキャップの改良に関するものである。
【０００２】
【従来の技術】
最近の自己導尿用具においては、患者がカテーテルを挿入する際に溜まっていた尿の溢出をコントロールする部品が付加されるようになっている。そのようにされていないと、排尿の都度、尿の溢出に対処する必要があり、患者の身体の清潔維持に手間がかかる。そのコントロールする部品、自己導尿用カテーテルのキャップについては、従来種々の提案がなされている。
【０００３】
【特許文献１】
特開平８−７１１５６号公報によれば、キャップの装着を容易にするため、磁性体を応用して着脱出来るようにしたものがある。
【０００４】
【特許文献２】
特開平９−２０６３７０号公報によれば、前記磁性体を用いる手段を応用するとともに、漏れを防ぐため、可撓性係合部材を付加したものがあるが、いずれのものも磁性体を用いることから、廃棄する場合にこれを分別しなければならない欠点を伴うし、腐食や錆等による劣化も問題となる。
【０００５】
−
【発明が解決しようとする課題】
解決しようとする問題点は、キャップが、ア  前記のように排尿時に尿の溢出を容易にコントロールできるようにすること、イ  カテーテルに対する着脱が容易であり、かつ、洗浄により清潔を維持できるようにすること、ウ  排尿の困難な患者には、往々にして眼の不自由な人があるが、このような人でも操作しやすいようにすること、エ  磁性体等の分別廃棄の必要のないようにすること、オ  従来品のなかには、カテーテルのファネル内腔に挿入したキャップの部材である蓋体を外す際、カテーテルの側孔が陰圧により膀胱壁を吸引し、出血させるものがあるので、キャップの可動構造を陰圧のかからない構造にすること、カ  腐食や錆などの劣化を生じさせないようにすること、にある。
【０００６】
【課題を解決するための手段】
本発明は、上記課題を解決するため、ア  尿の排出を患者が片手操作で行い得、また、携帯時に誤作動しないように、ロック機構を設けた。イ  保管中ファネルとキャップとの嵌合部に汚れが付着するので、これらを接着（かしめ）することなく、患者が着脱し、洗浄できるようにした。ウ  眼の不自由な人でも操作しやすいように、可動感覚を認識するためのガイド（凹凸）機構を設けた。エ  カテーテル内腔に陰圧がかからないようにするため、従来品のように尿漏れを防ぐ目的で、キャップの蓋体又はその一部をキャップ内腔へ嵌挿入する構成をとらず、該内腔面を球面で被覆するようにした。オ  パッキングを除き、合成樹脂を用いて形成し、分別廃棄の必要がなく、腐食や錆などによる劣化を生じないようにした。
【０００７】
【発明の実施の形態】
本発明を図面により説明する。図１は実施例の概要を示す正面図、図２はベースコネクターの縦断面図、図３はハウジングの平面図、図４はハウジングの底面図、図５は図３におけるＡ−Ａ線断面図、図６は図３におけるＢ−Ｂ線断面図、図７はエンドノズルの縦断面図である。ベースコネクター２は、自己導尿用カテーテルの基端部に嵌入する部材で合成樹脂を用いて（パッキングを除く。）筒状に形成し、外面は容易にカテーテルから離脱しないよう図２に示すように段差２１を設けることが好ましい。一方端部にハウジング３を螺着するネジ２２を設け、内腔にパッキング２３を設ける。ハウジング３は、エンドノズル４の端部を収容し可動とする部材で、柔軟な材質の合成樹脂を用いて形成し、切り欠き３１及び内腔３２を設け、合成樹脂の弾力を利用し、手の感覚でエンドノズル４を前傾させたり、前傾させたまま横へ回転させたり、もとへ戻して図１に示すように直立させたりできるようにした。切り欠き３１はエンドノズル４の外径よりやや狭く形成し、前記操作をする場合に多少抵抗感を伴うが素材の弾力により操作可能なように形成すると、視力の弱い患者の操作ガイドとなる。ハウジング３の下端にエンドノズル４を収容してからベースコネクター２に螺着するためのネジ３３を穿設する。エンドノズル４は筒体に形成し、下部側面を球面４１に形成する。前記のように、ハウジング４に収容し、前傾させると該球面４１がハウジング３に螺着したベースコネクター２の端部を被覆し、更に横に回転させても該被覆が解除されないように形成する。従って、ハウジング３の内腔３２の形状及び大きさは前記球面４１が摺動可能なものに形成する。
【０００８】
【発明の効果】
本発明によれば、視力障害の有無にかかわらず尿の排出を片手でスムースに行うことができ、かつ、清潔に維持し得、患者の膀胱壁を損傷することがなく、医療上極めて有用であり、廃棄にあたって分別の手間を要さず日常生活に支障を生じない利点がある。
【図面の簡単な説明】
【図１】実施例の概要を示す正面図である。
【図２】ベースコネクターの縦断面図である。
【図３】ハウジングの平面図である。
【図４】ハウジングの底面図である。
【図５】図３におけるＡ−Ａ線断面図である。
【図６】図３におけるＢ−Ｂ線断面図である。
【図７】エンドノズルの縦断面図である。
【符号の説明】
１    自己導尿用カテーテルのキャップ
２    ベースコネクター
３    ハウジング
４    エンドノズル
２１  段差
２２  ネジ
２３  パッキング
３１  切り欠き
３２  内腔
３３  ネジ
４１  球面
【図１】
2004236999.tif 000003
【図２】
2004236999.tif 000004
【図３】
2004236999.tif 000005
【図４】
2004236999.tif 000006
【図５】
2004236999.tif 000007
【図６】
2004236999.tif 000008
【図７】
2004236999.tif 000009
(57)【要約】【課題】骨に傷をつけることなく、而も簡単且つ短時間で固定作業が完了し、また接合完了後は簡単、迅速に除去することができる。【解決手段】ハイドロキシアパタイト粉末を混入した瞬間接着剤２を、骨１の整復した状態における接合部位１ａ、１ｂの周囲に塗布し、硬化させて固定するようにする。【選択図】        図１
2004236939.tif 000002
【特許請求の範囲】
【請求項１】
ハイドロキシアパタイト粉末を混入した瞬間接着剤を、生体内の骨等の整復した状態における接合部位の周囲に塗布し、短時間で硬化させて固定するようにしたことを特徴とする骨等の接合部位の固定方法。
【請求項２】
瞬間接着剤が、光硬化性を持ち、骨癒合時期を過ぎると自然に破壊され、生体内で吸収される瞬間接着剤である請求項１記載の骨等の接合部位の固定方法。
【請求項３】
骨誘導能及び骨親和性に優れたハイドロキシアパタイト粉末を混入した光硬化性の瞬間接着剤を、骨等の整復した状態における接合部位の周囲に塗布し、光線を照射して速やかに硬化させることを特徴とする骨等の接合部位の固定方法。
【請求項４】
瞬間接着剤が、光硬化性を持ち、骨癒合時期を過ぎれば自然に破壊され生体内で吸収される瞬間接着剤である請求項３記載の骨等の接合部位の固定方法。
【発明の詳細な説明】
【０００１】
【発明の属する技術分野】
本発明は、骨等の接合部位の固定方法に関するものである。
【０００２】
【従来の技術】
足の骨や指の骨、或いは頭骨等を骨折した場合は、整復した状態において接合部位を一定の期間固定しておく必要がある。
【０００３】
そして、従来にあっては足の骨や指の骨の場合には、金属製等のボルト、プレート等で接合部位を固定し、また頭骨の場合にはホッチキスの鋲で固定していた。
【０００４】
【発明が解決しようとする課題】
しかし、ボルト、プレートやホッチキスの鋲で固定する場合には、骨に穿孔しなければならず、骨に傷をつけることは感染症等の問題もあり、本来望ましいことではない。特に発育の盛んな時期の幼児の骨には、傷をつけることを極力避けなければならない。
【０００５】
また、上記の如く骨に穿孔しなければならず、そして穿孔後にボルト、プレート等で固定する作業をしなければならないから、手術に相当な手間と時間がかかることになる。また、接合完了後に骨から取り外す際にも、同様に相当な手間と時間がかかるものである。
【０００６】
本発明は上記の点に鑑みなされたものであって、骨に傷をつけることなく、而も簡単且つ短時間で固定作業を完了することができ、また接合完了後に骨から除去する際には簡単、迅速にこれを行うことができるようになした骨等の接合部位の固定方法を提供せんとするものである。
【０００７】
【課題を解決するための手段】
而して、本発明の要旨とするところは、ハイドロキシアパタイト粉末を混入した瞬間接着剤を、骨等の整復した状態における接合部位の周囲に塗布し、硬化させて固定するようにしたことを特徴とする骨等の接合部位の固定方法にある。
【０００８】
また、上記方法において、そこで用いる瞬間接着剤としては、光硬化性の瞬間接着剤が好ましい。
【０００９】
また、本発明は、ハイドロキシアパタイト粉末を混入した瞬間接着剤を、骨等の整復した状態における接合部位の周囲に塗布し、光を照射し短時間で硬化させることをもその要旨とするものである。
【００１０】
そしてまた、該方法において用いる瞬間接着剤としては、光硬化性の瞬間接着剤が好ましい。
【００１１】
【発明の実施の形態】
以下、本発明の実施の形態について図面を参照しつつ説明する。
図１は骨の接合部位の周囲に瞬間接着剤を塗布した状態の断面図である。
【００１２】
図中、１は足の骨であり、１ａ、１ｂは骨折部位である。そして、該骨折部位１ａ、１ｂは、各骨の端面を突き合わせ且つ欠損した部分には適宜の人口骨材料を充填して整復する。
【００１３】
この状態において骨折部位、即ち接合部位１ａ、１ｂの周囲に、ハイドロキシアパタイト粉末を混入した瞬間接着剤２を塗布し、硬化させることによって固定するものである。
【００１４】
また、該ハイドロキシアパタイト粉末（分子式：Ｃａ１０（ＰＯ４）６（ＯＨ）２  ）は、骨細胞の誘導能と骨親和性に優れていることが証明されており、骨折部位になじんでその接合を補助する。そしてまた、瞬間接着剤２としては、本実施形態では光硬化機能を付与したα−シアノアクリレート系の瞬間接着剤を使用している。この場合、該光硬化性の瞬間接着剤を塗布した後、例えばハロゲン光を照射して瞬間的に硬化させるものである。そして、このように骨１の接合部位１ａ、１ｂの周囲に塗布し、硬化してテープ状になっている瞬間接着剤２は、完全に接合する迄の間そのままにし、接合が完了したときに除去するものである。そしてまた、この際には刃物等を用いて一部に切れ目を入れて引き剥がせば、簡単に除去することができるものである。
【００１５】
【発明の効果】
本発明によれば、従来の如く穿孔する必要がないから骨に傷をつけることなく、而も簡単且つ短時間で固定作業を完了することができるものである。また接合完了後に骨から除去する際にも、簡単、迅速にこれを行うことができるものである。加えて、上記の如く固定作業も除去作業も短時間で済むから、手術中に各種の感染症に感染する可能性を従来に比して大幅に低減することができるものである。
【図面の簡単な説明】
【図１】骨の接合部位の周囲に瞬間接着剤を塗布した状態の断面図である。
【符号の説明】
１  骨
１ａ、１ｂ  骨折部位（接合部位）
２  瞬間接着剤
【図１】
2004236939.tif 000003
【手続補正書】
【提出日】平成15年2月13日(2003.2.13)
【手続補正１】
【補正対象書類名】明細書
【補正対象項目名】００１４
【補正方法】変更
【補正の内容】
【００１４】
また、該ハイドロキシアパタイト粉末（分子式：Ｃａ１０（ＰＯ４）６（ＯＨ）２  ）は、骨細胞の誘導能と骨親和性に優れていることが証明されており、骨折部位になじんでその接合を補助する。そしてまた、瞬間接着剤２としては、本実施形態では光硬化機能を付与したα−シアノアクリレート系の瞬間接着剤を使用している。この場合、該光硬化性の瞬間接着剤を塗布した後、例えばハロゲン光を照射して瞬間的に硬化させるものである。そして、このように骨１の接合部位１ａ、１ｂの周囲に塗布し、硬化してテープ状になっている瞬間接着剤２は、完全に接合する迄の間そのままにし、接合が完了したときに除去するものである。そしてまた、この際には刃物等を用いて一部に切れ目を入れて引き剥がせば、簡単に除去することができるものである。
(57)【要約】【課題】ゴルフボールとの摩擦を少なくして打球の方向の狂いを抑制でき、かつゴルフボールを載置したときの安定性に優れたゴルフティー１０を提供すること。【解決手段】ゴルフティー１０のゴルフボール載置部１２の載置面１３を球面状の凹部に形成し、ゴルフボール載置部１２の周壁上端に１２個の歯形状突起１４を周方向に沿って等間隔で列設する。隣接する歯形状突起間の切欠部１４ａは歯形状突起１４と相補形状に形成する。歯形状突起１４にゴルフボールを載置するので、ゴルフボールが落ちこぼれ難く、かつゴルフティー１０とゴルフボール間の摩擦も少ないので打球の方向の狂いを抑制できる。【選択図】  図１
2004236901.tif 000002
【特許請求の範囲】
【請求項１】
地中に差し込む先細り形状の支持部の上端部にゴルフボール載置部を一体成形したゴルフティーであって、載置部の周壁上端に複数個の歯形状突起を周方向に沿って等間隔で列設したことを特徴とするゴルフティー。
【請求項２】
隣接する歯形状突起の間に歯形状突起と相補形状を成す切欠部を形成したことを特徴とする請求項１に記載のゴルフティー。
【請求項３】
生分解性プラスチック材料を用いて成形することを特徴とする請求項１又は２に記載のゴルフティー。
【請求項４】
前記生分解性プラスチック材料として、トウモロコシから精製した植物性樹脂と、ポリプロピレン樹脂を重量比で約１０：３の割合で混合したものを用いることを特徴とする請求項３に記載のゴルフティー。
【発明の詳細な説明】
【０００１】
【発明の属する技術分野】
本発明は、ゴルフティーに関する。
【０００２】
【従来の技術】
ゴルフティーの一形式として、特開平７−３１７０１号公報には地中に差し込む先細り形状の支持部の上端部に、支持部とは異なる軟質材から成る碗形のゴルフボール載置部を連結し、このゴルフボール載置部の上端に三角形の突起を等間隔で周方向に列設したものが開示されている。
【０００３】
【発明が解決しようとする課題】
上記従来のゴルフティーは、ゴルフボールを三角形の鋭利な頂部に載置するので、接触面が少なく、打撃時におけるゴルフティーとゴルフボールの摩擦が小さい。このため、摩擦による打球の方向の変化を抑制できる。しかしながら、ゴルフボールとの接触面が少なすぎるため、ゴルフボールを載置したときの安定性が悪く、ゴルフティーを正しく垂直にグランドに差し込まないと、ゴルフボールが落ちこぼれてしまう。
本発明はかかる問題点に鑑み、ゴルフボールとの摩擦を少なくして打球の方向の狂いを抑制でき、かつゴルフボールを載置したときの安定性に優れたゴルフティーを提供することを目的とする。
【０００４】
【課題を解決するための手段】
請求項１に記載の発明は、地中に差し込む先細り形状の支持部の上端部にゴルフボール載置部を一体成形したゴルフティーであって、載置部の周壁上端に複数個の歯形状突起を周方向に沿って等間隔で列設したことを特徴とする。
請求項２に記載の発明は請求項１に記載のゴルフティーにおいて、隣接する歯形状突起の間に歯形状突起と相補形状を成す切欠部を形成したことを特徴とする。
請求項３に記載の発明は、請求項１又は２に記載のゴルフティー  において、生分解性プラスチック材料を用いて成形することを特徴とする。
請求項４に記載の発明は、請求項３に記載のゴルフティーにおいて、前記生分解性プラスチック材料として、トウモロコシから精製した植物性樹脂と、ポリプロピレン樹脂を重量比で約１０：３の割合で混合したものを用いることを特徴とする。
【０００５】
【発明の作用・効果】
本発明によれば、歯形状突起にゴルフボールを載置するので、ゴルフボールが落ちこぼれ難く、かつゴルフティーとゴルフボール間の摩擦も少ないので打球の方向の狂いを抑制できる。とくに、歯形状突起間に歯形状突起と相補形状の切欠部を形成することで、より摩擦を少なくし、ゴルフボールを載置したときの安定性を高めることができる。
また、生分解性プラスチック材料でゴルフティーを成形することにより、ゴルフコースに残っても自然に分解するので、ゴルフティーで土壌が汚染されるのを防止できる。とくに生分解性プラスチック材料としてトウモロコシから精製した植物性樹脂にポリプロピレン樹脂を重量比で約１０：３の割合で混合したものを用いることにより、ゴルフティーに適度な硬度与え、使用時における使い勝手が良くなる。
【０００６】
【発明の実施の形態】
以下に本発明を図面に基づき説明するに、図１は本発明の一実施形態に係るゴルフティーの縦断断面図、図２は平面図である。当該ゴルフティー１０は地中に差し込む先細り形状の支持部１１の上端部にゴルフボール載置部１２が一体成形されている。ゴルフボール載置部１２の載置面１３は球面状の凹部に形成され、ゴルフボール載置部１２の周壁上端に１２個の歯形状突起１４が周方向に沿って等間隔で列設されている。隣接する歯形状突起間の切欠部１４ａは歯形状突起１４と相補形状に形成されている。
【０００７】
このゴルフティー１０はトウモロコシから精製した植物性樹脂と、ポリプロピレン樹脂又は高密度ポリエチレン樹脂を重量比で約１０：３の割合で混合した生分解性プラスチック材料を用いて成形されている。
【０００８】
本実施形態に係るゴルフティー１０の構造は以上の通りであって、歯形状突起１４にゴルフボールを載置するので、ゴルフボールが落ちこぼれ難く、かつゴルフティー１０とゴルフボール間の摩擦も少ないので打球の方向の狂いを抑制できる。とくに、歯形状突起１４間に歯形状突起１４と相補形状の切欠部１４ａを形成したので、見栄えも良く、摩擦もより少なく、さらにはゴルフボールを載置したときの安定性も良い。
【０００９】
また、生分解性プラスチック材料でゴルフティーを成形したので、ゴルフコースに残っても自然に分解し、ゴルフティーで土壌が汚染されるのを防止できる。とくに生分解性プラスチック材料としてトウモロコシから精製した植物性樹脂と、ポリプロピレン樹脂を重量比で約１０：３の割合で混合したものを用いたので、ポリプロピレン樹脂の混入によりゴルフティーに適度な硬度与え、使用時における使い勝手が良い。
【図面の簡単な説明】
【図１】本発明の一実施形態に係るゴルフティーを示す縦断断面図である。
【図２】同ゴルフティーを示す平面図である。化粧シートの保護紙を省いた裏面の斜視図である。
【符号の説明】
１０…ゴルフティー、１１…支持部、１２…ゴルフボール載置部、１３…ゴルフボール載置面、１４…歯形状突起、１４ａ…切欠部。
【図１】
2004236901.tif 000003
【図２】
2004236901.tif 000004
(57)【要約】【課題】ダウンブローに適し、且つランニングコストに優れるゴルフ練習用ショットマットセットを提供する。【解決手段】厚さの薄いショットマットを左側に、厚さの厚いショットマットを右側に並べて設置する。こうすることにより両マットの繋ぎ目に段差が出来、図３に示すようにダウンブローに打った場合もヘッドがマットに当りにくくなり、手首等の損傷の危険性が低減できる。またマット人工芝の摩耗部がマットの中央部ではなく端になるため、左右反転によりマットの両端が使えランニングコスト低減も同時に図れる。【選択図】        図３
2004236927.tif 000002
【特許請求の範囲】
【請求項１】
厚さの薄いマットを飛球線方向の先（右打ちの場合、打者側から見て左側）に、厚さの厚いマットを手前（右打ちの場合、打者側から見て右側）に並べ、マットの厚さの差を利用してその繋ぎ目に段差を作ることを特徴としたゴルフ練習用ショットマットセット。
【発明の詳細な説明】
【０００１】
【発明が属する技術分野】
本発明はダウンブローに打つのに適し、且つランニングコストに優れるゴルフ練習用のショットマットに関するものである。
【０００２】
【従来の技術】
ゴルフのアイアンショットに求められるスイングはクラブヘッドの最下点がボールより先にあるダウンブロー軌道である。そのようなスイングに対し、ゴルフコースのように本物の芝の上であればボールの先のターフが取れるが、練習場の場合、その多くは人工芝製ショットマットを使用しているためクラブヘッドの抜けが悪く手首等を傷める危険性があった。またミスをしてボールより手前のマット部を叩いた（ダフった）場合との区別が付きにくく、ナイスショットとミスショットの微妙な感覚の差が分かりにくいため効果的な練習が出来なかった。更にはマット中央部が集中的に使用されるため、その部分の人工芝のみが摩耗し使用寿命が短くなってしまうという問題があった。
【０００３】
【発明が解決しようとする課題】
このためダウンブローに適し、且つ人工芝の摩耗が低減できランニングコストに優れるショットマットを得られる方法が求められていた。
【０００４】
【課題を解決するための手段】
本発明では厚さの違う２枚のショットマットを並べて配置することによりこの問題を解決した。
【０００５】
【発明の実施の形態】
厚さの薄いマットを（右打ちの場合）打者側から見て左側に、厚さの厚いマットを右側に並べることにより容易にその繋ぎ目に段差が出来、ダウンブローに打った際にもクラブヘッドの抜けが良くなり手首等を傷めることなく効果的な練習を可能とした。またマットの端の部分にボールを置くため、マットを左右反転することにより人工芝の摩耗が両端に分散できランニングコストの低減も同時に図れる。
【０００６】
【実施例】
図１に示すように厚さの違う２枚のショットマットを用意し、図２にように厚いマットを（右打ちの）打者から見て右側に、薄いマットを左側に並べて配置する。こうすることによってマットの繋ぎ目に段差が出来、厚いマットの左端にボールを置くことによりダウンブローに打った場合もヘッドがマットに当りにくくなり（図３参照）、手首等の損傷の危険性が低減でき、且つダフったときとの違いが分かりやすく効果的な練習が可能になる。
【０００７】
このとき２枚のマットがちょうどラバーマットの内枠に収まる大きさにし、マットがずれないようにする。また本実施例ではボールを置かない薄いマット側も人工芝マットにしているが、必ずしもそうである必要はなく単なるゴムマット等、ダウンブローに打ちやすい段差が形成でき、且つボールを置く厚いマットがずれないようにできる厚さと大きさを有したものなら良い。
【０００８】
図４のようにクラブヘッドとの接触により人工芝が摩耗した場合は、そのマットを左右反転させることにより摩耗されていない部分と入れ替えることが出来、図５に示すように摩耗していない部分を新たに使用することが出来る。
【０００９】
つまり従来は人工芝の摩耗部がマット中央部だったのに対し、本発明ではマットの端の部分になるため左右反転により両端が使え、２倍の製品寿命を得ることが可能となる。
【００１０】
もちろん厚いマットの左端ではなく中央部にボールを置けば従来マットと同じような使い方も出来る。
【００１１】
【発明の効果】
以上説明したように本発明により効果的なダウンブローの練習を可能としたショットマットセットを低コストで提供でき、また従来マットに比べ人工芝の摩耗部を分散させることが出来るためランニングコストの低減も同時に達成できる。既存の製造設備や練習場設備を大きく変更することなく使用できる点も大きな利点である。
【図面の簡単な説明】
【図１】厚さの異なる２枚のショットマットを示した図である。
【図２】図１のマットを配置した場合の（右打ちの打者側から見た）断面図である。
【図３】図２のマット構成でのダウンブローショットのしやすさを説明した図である。
【図４】図２のマット構成における人工芝の摩耗を説明した図である。
【図５】図４において人工芝を左右反転して摩耗部を入れ替えた後の図である。
【符号の説明】
１    厚さの厚い人工芝ショットマット
２    厚さの薄い人工芝ショットマット
３    人工芝ショットマットを固定するラバーマット
４    ゴルフボール
５    ダウンブローのクラブヘッド軌道
６    クラブヘッドとの接触により摩耗した人工芝部分
【図１】
2004236927.tif 000003
【図２】
2004236927.tif 000004
【図３】
2004236927.tif 000005
【図４】
2004236927.tif 000006
【図５】
2004236927.tif 000007
(57)【要約】【課題】害虫が現れた際に、意図的に駆除するには、殺虫剤で噴霧するか、物で叩きつぶすしかなかったが、どちらにしても、場所が限られた所でしかできないのが現状である。それなら、害虫を捕獲してから、殺虫剤を噴霧しても影響の無い場所へ持っていき、殺虫剤を噴霧して確実に死滅した後廃棄できるようにする。【解決手段】掃除機の吸込みパイプのつなぎ部分に、害虫捕獲パイプ１を連結させ、上下可能な金網３を下方向に動かして開放させる。掃除機のスイッチを入れ害虫が吸込まれたら、上下可能な金網３を上方向に動かして閉止させ、固定金網２との間に害虫を捕獲する。その後、害虫捕獲パイプを掃除機のパイプから取外し、金網越しに殺虫剤を噴霧し、死滅した後ごみ箱に廃棄する。【選択図】  図１
2004236644.tif 000002
【特許請求の範囲】
【請求項１】
害虫捕獲パイプは、家庭用掃除機の吸込みパイプのつなぎ部分に取り付けることが可能な外径になっている。
【請求項２】
害虫捕獲パイプの出口側には、金網が固定されている。吸込み側には、同じような金網が取り付けられているが、金網が上下に動く仕組みになっている。
【請求項３】
害虫捕獲パイプは、金網以外は、耐熱性プラスチックで出来ており、パイプ本体は、害虫が吸込まれたのを確認できるように、透明になっている。
【発明の詳細な説明】
【０００１】
【発明の属する技術分野】
本発明は、家庭用掃除機の吸込みパイプのつなぎ部分に、害虫捕獲パイプを連結させ、掃除機の吸引力を利用して、害虫を吸込み口から吸込み、捕獲できるものである。本発明の害虫捕獲パイプは、出口側に金網が固定されており、吸込んだ害虫が掃除機内に吸込まれないようになっている。吸込み側には、同じように金網が取り付けられているが、金網が上下に動くようになっており、害虫を吸込む際には、吸入側の金網を下げておき、害虫が吸込まれたら金網を上げて、両金網の間に捕獲できる仕組みになっている。
【０００２】
【従来の技術】
従来は、害虫の通り道に捕獲用の箱を置いて、捕獲する物があったが、本発明は、目についた害虫を意図的に捕獲できる物である。
【０００３】
【発明の実施の形態】
本発明は、害虫が現れた際に、家庭用掃除機の吸込みパイプのつなぎ部分に害虫捕獲パイプを取付け、掃除機の吸引力で害虫を吸込み、捕獲する物である。それを図面にて説明すれば、害虫捕獲パイプ１の出口側に固定金網２を取付け、吸込み側には、上下スライド可能な金網３が取付けられている。金網３を上下させ吸込み側の金網を開閉させる。害虫を吸込む際には金網３を下方向に動かし開放状態にして吸込み、害虫が捕獲パイプに吸込まれた後、金網３を上方向に動かし閉止状態にし、害虫を捕獲パイプ内に捕獲する物である。
【０００４】
【発明の効果】
このようにすれば、害虫が現れた際に、掃除機さえあれば害虫捕獲パイプをセットし、害虫との距離をとって捕獲することができ、また、捕獲後も金網越しに殺虫剤を散布し、死骸にした後ごみ箱に廃棄することで、衛生的に処理できる。
【図面の簡単な説明】
【図１】害虫捕獲パイプの断面図である。
【図２】害虫捕獲パイプのＡ−Ｂの断面を吸込み側から見た断面図である。
【図３】害虫捕獲パイプのＣ−Ｄの断面を吸込み側から見た断面図である。
【符号の説明】
１害虫捕獲パイプ本体
２固定金網
３上下可能な金網
【図１】
2004236644.tif 000003
【図２】
2004236644.tif 000004
【図３】
2004236644.tif 000005